(57)【要約】【課題】通常のサイズの製品に内蔵された比較的小型のスピーカユニットから、原音に極めて忠実な音を出力させることを可能にする。【解決手段】スピーカユニットＳを内蔵するスピーカユニット内蔵品において、薄く柔軟な軟質ゴムよりなるバッフル板２を備えており、スピーカユニットＳの正面側がバッフル板２の正面側に向くように、スピーカユニットＳのフレームがバッフル板２に直接固定されており、バッフル板２およびスピーカユニットＳはともに、スピーカユニットＳの振動板の振動方向に進退自在な状態に保持される。【選択図】図１
2014027427.tif 000002
【特許請求の範囲】
【請求項１】
スピーカユニットを内蔵するスピーカユニット内蔵品において、
薄く柔軟な軟質ゴムよりなるバッフル板を備えており、
前記スピーカユニットの正面側が前記バッフル板の正面側に向くように、前記スピーカユニットのフレームが前記バッフル板に直接固定されており、
前記バッフル板および前記スピーカユニットはともに、前記スピーカユニットの振動板の振動方向に進退自在な状態に保持される
ことを特徴とするスピーカユニット内蔵品。
【請求項２】
請求項１に記載のスピーカユニット内蔵品がスピーカユニット内蔵クッションであって、
通気性を有し、剛性と弾力性とを有する第一のクッション体と、
通気性を有し、剛性と弾力性とを有する第二のクッション体と、を備えており、
前記スピーカユニットと、前記バッフル板とは、前記第一のクッション体と、前記第二のクッション体との間に配置される
ことを特徴とするスピーカユニット内蔵クッション。
【請求項３】
請求項１に記載のスピーカユニット内蔵品がスピーカユニット内蔵カバンであって、
通気性を有し、剛性と弾力性とを有する第一のクッション体と、
通気性を有し、剛性と弾力性とを有する第二のクッション体と、を備えており、
前記スピーカユニットと、前記バッフル板とは、前記第一のクッション体と、前記第二のクッション体との間に配置される
ことを特徴とするスピーカユニット内蔵カバン。
【請求項４】
請求項１に記載のスピーカユニット内蔵品がスピーカユニット内蔵ボックスであって、
前記スピーカユニットの外形状に沿って嵌合可能な凹部が設けられ、通気性と弾力性とに富み、かつ、前記スピーカユニットを支持可能な程度の剛性を有する支持体を備え、
前記スピーカユニットのフレームが固定された前記バッフル板は、前記支持体に支持される
ことを特徴とするスピーカユニット内蔵ボックス。
【発明の詳細な説明】
【技術分野】
【０００１】
本発明は、スピーカユニットを内蔵する、スピーカユニット内蔵品の技術に関する。
【背景技術】
【０００２】
スピーカボックス内蔵品に関連し、スピーカユニットを内蔵する枕が知られている。特許文献１は、スピーカユニットをバッフル板の穴部に配設したスピーカの構造について開示している。この構造は、前記スピーカユニットのフレームが、コーン（振動板）の振動方向即ち前後方向にコーンの振幅程度のストロークで進退自在に振動可能となるように、バッフル板へ柔軟に係合し、スピーカユニットからバッフル板への振動が吸収される構造である。そして、そのような構造を持つスピーカを枕に内蔵することが可能である。
【０００３】
また、特許文献２は、バッフル板としてゲル板を用い、ゲル板に設けた穴を塞ぐようにスピーカユニットが取り付けられたスピーカシステムについて開示している。このスピーカシステムによれば、濁り音、歪音の原因になる不正振動をゲル板が吸収することができる。
【０００４】
また、特許文献３は、中央付近に開口部を有する中間支持体と、中間支持体の上にその開口部を跨いで掛け渡され使用者の頭を載せる中央付近が下方へ湾曲可能な弾性を有する長板と、この長板の下面に前記中間支持体の開口部に臨むように長板の長手方向に離して取付けられた左右一対のスピーカと、長板の上面に重ねた上部クッションと、これらを包む袋と、を備え、前記スピーカで前記長板を加振するスピーカ付き枕について開示している。
【先行技術文献】
【特許文献】
【０００５】
【特許文献１】特許第３７９６１３４号公報（段落００３９、００７３〜００９２、図１、図６、図７など）
【特許文献２】特許第３８２８８７６号公報（段落０００７、０００８、図１など）
【特許文献３】特許第４１０４９３０号公報（請求項１、図１など）
【発明の概要】
【発明が解決しようとする課題】
【０００６】
特許文献１〜３に記載の技術を利用して、スピーカユニット内蔵品として例えばスピーカユニットが内蔵されたクッション、カバン、ボックス等を得ようとすると、以下のような課題がある。即ち、特許文献１〜３に記載の技術に拠っては、スピーカユニットが内蔵されたクッションやカバンが大型化することがある。特に、スピーカユニットが内蔵されたクッションやカバンにおいては、持ち運んで使用されることが想定される。従って、これらが大型化すると、これらの持ち運びが面倒になる。さらには、スピーカユニットが内蔵されたボックスにおいては、定置して使用されることが想定される。従って、スピーカユニットが内蔵されたボックスが大型化すると、占有体積が大きくなる。さらには、設置が面倒になる。そして、特許文献１〜３に記載の技術によっては、原音に忠実な音を再生できないことがある。
【０００７】
具体的には、特許文献１において、頭部を載置する使用者にスピーカユニットからの音を聴かせるために、特許文献１のスピーカを枕の内部に配置すると、枕のサイズが通常の枕のサイズよりも大きくなってしまう問題がある。よって、比較的小型のスピーカユニットを内蔵させ、原音に忠実な音を再生できる通常のサイズとすることが望まれる。また、特許文献２のゲル板は、重く、高価であるため、ゲル板をバッフル板として使用したスピーカユニットを内蔵した枕は相当重くなってしまう。よって、ゲル板に替わり、ゲル板と同等以上の効果を奏する部材をバッフル板に用いることが望まれる。さらに、特許文献３によれば、スピーカの背面側から出力される背面音は、中間支持体の開口部に閉じ込められてしまう。そのため、スピーカの振動板が良好に振動して原音に高忠実な音を出力することは期待できない。
【０００８】
そこで、本発明では、通常のサイズの製品に内蔵された比較的小型のスピーカユニットから、原音に極めて忠実な音を出力させることを可能にすることを目的とする。
【課題を解決するための手段】
【０００９】
前記目的を達成するため、本発明は、スピーカユニットを内蔵するスピーカユニット内蔵品において、薄く柔軟な軟質ゴムよりなるバッフル板を備えており、前記スピーカユニットの正面側が前記バッフル板の正面側に向くように、前記スピーカユニットのフレームが前記バッフル板に直接固定されており、前記バッフル板および前記スピーカユニットはともに、前記スピーカユニットの振動板の振動方向に進退自在な状態に保持されることを特徴とする。
【００１０】
かかる構成によれば、スピーカユニットのフレームが、薄く柔軟な軟質ゴムよりなるバッフル板に直接固定されている。このため、スピーカユニットの振動がフレームを介してバッフル板に伝達され、スピーカユニットおよびバッフル板は、ほとんど拘束を受けない状態でスピーカユニットの振動板の振動方向に進退自在に振動することができる。バッフル板を、拘束を受けることなくスピーカユニットと一緒に振動させることにより、比較的小型のスピーカユニットを通常のサイズの製品に内蔵させた場合でも、そのスピーカユニットから出力される音が、原音に極めて忠実な音になる。このような音は、濁り音や歪音などといった不正振動等に起因する雑音は含まない音であるため、クッション、カバン、ボックス等の内蔵品の使用者にとって心地よい音となる。
【発明の効果】
【００１１】
本発明によれば、通常のサイズの製品に内蔵された比較的小型のスピーカユニットから、原音に極めて忠実な音を出力させることができる。
【図面の簡単な説明】
【００１２】
【図１】第１実施形態のスピーカユニット内蔵クッションの外観斜視図である。
【図２】第１実施形態のスピーカユニット内蔵クッションの構成部材を厚さ方向に分解したときの分解斜視図である。
【図３】（ａ）は、スピーカユニットが取り付けられているゴム板を正面側から視たときの斜視図であり、（ｂ）は、スピーカユニットが取り付けられているゴム板を背面側から視たときの斜視図であり、（ｃ）は、Ｂ−Ｂ視断面図である。
【図４】音響システムの機能構成図である。
【図５】未使用時における図１のスピーカユニット内蔵クッションのＡ−Ａ視断面図である。
【図６】第２実施形態のスピーカユニット内蔵カバンの（ａ）外観斜視図および（ｂ）Ｄ−Ｄ線断面図である。
【図７】第３実施形態のスピーカユニット内蔵ボックスの（ａ）外観斜視図および（ｂ）Ｆ−Ｆ線断面図である。
【図８】第３実施形態のスピーカユニット内蔵ボックスの適用例の外観斜視図である。
【発明を実施するための形態】
【００１３】
次に、本発明を実施するための形態（以下、「実施形態」という。）を説明する。本実施形態のスピーカユニット内蔵品は、スピーカユニットを内蔵するものである。そして、本実施形態のスピーカユニット内蔵品は、薄く柔軟な軟質ゴムよりなるバッフル板を備えており、前記スピーカユニットの正面側が前記バッフル板の正面側に向くように、前記スピーカユニットのフレームが前記バッフル板に直接固定されており、前記バッフル板および前記スピーカユニットはともに、前記スピーカユニットの振動板の振動方向に進退自在な状態に保持される。以下、本実施形態のスピーカユニット内蔵品を、３つの実施形態（第１実施形態〜第３実施形態）を挙げて説明する。
【００１４】
［１．第１実施形態］
はじめに、スピーカユニットを内蔵するクッション（スピーカユニット内蔵クッション、以下、単に「クッション」と言う）について、図１〜図５を参照しながら説明する。説明の便宜上、同一の要素には同一の番号を付し、重複する説明は省略する。また、図５において、後記する音源ＰＬ、付属装置Ａ、スピーカユニットＳと付属装置Ａとを接続するプラグやケーブルなどの図示は省略している。
【００１５】
図１に示すように、第１実施形態のクッションＫは、正面視略正方形の形状を呈している。例えば、クッションＫの上下左右方向の一辺の長さは５００ｍｍであり、通常のサイズである。また、厚さ方向（前後方向）の長さも通常のサイズである。クッションＫは、第一のクッション体１と、バッフル板２と、一対のスピーカユニットＳＲ（Ｓ）、ＳＬ（Ｓ）と、第二のクッション体３と、クッションカバー４と、を備えている。クッションカバー４は、スピーカユニットＳから出力される音を遮蔽しない布製であり、第一のクッション体１と、バッフル板２と、一対のスピーカユニットＳと、第二のクッション体３とを包み、クッションＫの外観を構成する。
【００１６】
（第一のクッション体１）
図２に示すように、第一のクッション体１は、クッションＫの最も背面側に配置されており、クッションＫの全体を支持している。第一のクッション体１は、通気性を有し、人間が接触した時に破損しない程度の剛性と弾力性とを有し、例えば、繊維状の合繊綿や玉綿でできている。よって、クッションＫの使用者に良好な手触りや弾力性が与えられる。なお、図２において、クッションカバー４の図示は省略している。
【００１７】
第一のクッション体１に使用されている合繊綿や玉綿は、それほど大きな減衰能を持たない。よって、第一のクッション体１は、スピーカユニットＳの背面側に出力される音である「背面音」をほとんど吸音することなく背面側へ逃がす。つまり、通気性と弾力性とに富む合繊綿や玉綿は、スピーカユニットＳの背面側の音圧を変化させること無く、スピーカユニットＳからの背面音を背面側へ逃がすため、背面音の抜けを良好にすることができる。使用者の手等がクッションＫに接触し、第一のクッション体１が多少潰れたとしても、合繊綿や玉綿の弾力性が富んでいるため、合繊綿や玉綿の通気性は確保されている。よって、使用者がクッションＫを使用している状態において、第一のクッション体１は、スピーカユニットＳからの背面音を背面側へ逃がし、背面音の抜けは良好である。背面音が吸音されると、スピーカユニットＳの背面側の音圧が変化し、スピーカユニットＳの振動板Ｓ５（図３（ｃ）参照）への抵抗力が発生し、その振動板Ｓ５の動きを規制するため、減衰能の大きい材料を第一のクッション体１に用いることは、適当でない。減衰能の大きい材料としては、例えば、ウレタンフォーム（スポンジ）がある。なお、前記「背面音」に対して、スピーカユニットＳの正面側に出力される音を「正面音」を呼ぶ。
【００１８】
（バッフル板２）
バッフル板２は、スピーカユニットＳから出力される背面音を正面側に伝搬することを遮蔽する背面音遮蔽板である。なお、背面音遮蔽板の詳細については、例えば、特許文献１の請求項１などに開示されているので、その説明は省略する。バッフル板２は、後記するサイズ程度であっても背面音を遮蔽することができる。このため、スピーカユニットＳからの正面音と背面音との相互干渉は十分に抑えられ、スピーカユニットＳからの正面音は弱められることはない。なお、背面音と正面音との相互干渉の詳細については、例えば、特許文献１の段落００４１、００４２に開示されているので、その説明は省略する。
【００１９】
バッフル板２は、薄く柔軟な軟質ゴムよりなり、例えば、安価なクロロプレンゴム（ゴム硬度４５）などの合成ゴムや、天然ゴムなどからなるものである。バッフル板２は、正面視正方形の形状を呈しており、水平方向に延びている。例えば、バッフル板２の上下左右方向の長さは４００ｍｍ、厚さは２ｍｍといったサイズである。バッフル板２は、第一のクッション体１の正面側に配置されているとともに、クッションＫの略中心に配置されている。バッフル板２には、スピーカユニットＳをバッフル板２に対して所定の位置に固定するための一対の孔２１（図２参照）が形成されている。
【００２０】
バッフル板２は、後記するように、フレームＳ１のフランジ部Ｓ１ａ（図３参照）と直接固定しているので、スピーカユニットＳが作動すると、スピーカユニットの振動板Ｓ５の振動方向において、スピーカユニットＳと一緒に進退自在に振動することができる。このような進退自在の振動を最適化するために、バッフル板２の板厚を１ｍｍ〜５ｍｍとし、そのゴムの硬さは、ゴム硬度で、２０〜６０（ＪＩＳ規格に準拠。規格番号：ＪＩＳ  Ｋ  ６２５３）にするのが好ましい。
【００２１】
また、バッフル板２は、軟質、かつ、薄く、フレームＳ１のフランジ部Ｓ１ａと直接固定しているので、スピーカユニットＳからの背面音と共鳴し易くなり、パッシブ・ラジエターとして機能することができる。なお、パッシブ・ラジエターの詳細については、例えば、特許文献１の段落００１６などに開示されているので、その説明は省略する。
【００２２】
（スピーカユニットＳ）
スピーカユニットＳは、例えば、厚さ方向と同じ方向の軸を有する略円筒状の外形を有しており、その円筒の口径が約５０ｍｍとなる一対の小型のフルレンジスピーカである。小型のスピーカユニットＳを用いることで、スピーカユニットＳを内蔵したクッションＫのサイズを必要以上に大きくしなくても、クッションＫの内部にスピーカユニットＳを配置することができる。
【００２３】
スピーカユニットＳの内部構造は、図３（ｃ）に示すとおりであり、スピーカユニットＳは、凹状の振動板Ｓ５（コーン）、振動板Ｓ５を支承するフレームＳ１（図３参照）、永久磁石Ｓ６、振動板Ｓ５を振動自在に振動させるボイスコイルＳ７、振動板Ｓ５を懸架するエッジＳ８などの周知の構成部材を備えている。なお、スピーカユニットの周知の構成部材の詳細は、例えば、特許文献２（段落００２１〜００２３、図１参照）に開示されているので、その説明は省略する。
【００２４】
図１に示すとおり、スピーカユニットＳは、上下左右方向におけるバッフル板２の正面中央近傍に配置されている。また、スピーカユニットＳＲ，ＳＬの距離は、スピーカユニットＳＲ，ＳＬの中心間距離として、２２０ｍｍである。スピーカユニットＳをこのように配置することにより、使用者がクッションＫを使用した際に、スピーカユニットＳから出力される音（ステレオ音）が偏ることなく、使用者にとって同じように聴こえる。
【００２５】
図３（ａ）に示すように、スピーカユニットＳのフレームＳ１は、略円筒状の外形を形成している。また、スピーカユニットＳのフレームＳ１は、その円筒の外壁の略中央から周方向外側に延びるように形成されているフランジ部Ｓ１ａを含んでいる（図３（ａ）参照）。また、振動板Ｓ５は、スピーカユニットＳの正面を形成している。なお、図３（ａ）において、スピーカユニットカバーＣ（後記）の図示は省略している。
【００２６】
フランジ部Ｓ１ａには、ネジＳ２（図３（ｂ）参照）が貫通するためのネジ穴Ｓ１１が形成されている。また、バッフル板２には、ネジＳ２が貫通するためのネジ穴２２が形成されている。スピーカユニットＳをバッフル板２に取り付ける際、スピーカユニットＳをバッフル板２の孔２１の内側に配置させ、フランジ部Ｓ１ａをバッフル板２に背面側から係止させる。このとき、フレームＳ１のネジ穴Ｓ１１をバッフル板２のネジ穴２２に対向させ、ネジＳ２をネジ穴Ｓ１１およびネジ穴２２に貫通させる。フランジ部Ｓ１ａの背面側において、貫通させたネジＳ２とナットＳ３とを螺合させることで、スピーカユニットＳのフレームＳ１のフランジ部Ｓ１ａをバッフル板２の孔２１の外周部に直接固定する（図３（ｂ）参照）。よって、スピーカユニットＳがバッフル板２の孔２１を塞ぐように、スピーカユニットＳのフレームＳ１のフランジ部Ｓ１ａがバッフル板２に直接固定されるため、スピーカユニットＳから出力される正面音は、クッションＫの使用者に確実に聴こえるようにし、スピーカユニットＳから出力される背面音は、正面側に遮蔽される一方、バッフル板２がパッシブ・ラジエターとして機能し、正面側に共鳴音を伝えるようにできる。なお、図３（ｃ）において、ネジＳ２の図示は省略している。
【００２７】
ここで、スピーカユニットＳのフレームＳ１のフランジ部Ｓ１ａでバッフル板２に「直接固定する」という意味は、スピーカユニットＳのフレームＳ１の振動がバッフル板２に伝達するのを阻害する部材を、フレームＳ１とバッフル板２との間に介在させないで固定するという意味である。したがって、スピーカユニットＳのフレームＳ１とバッフル板２との間に吸振部材（特許文献１の段落００４０参照）を介在させない。ただし、何らかの部材を介在させたとしても、スピーカユニットＳの振動板Ｓ５の振動方向における、バッフル板２およびスピーカユニットＳの進退自在な振動が確保されていればこの限りでない。
【００２８】
図３に示すように、バッフル板２に固定されたスピーカユニットＳの正面側は、バッフル板２の正面側に向いて開放されており、バッフル板２に被覆されていない。よって、スピーカユニットＳは、バッフル板２に遮られること無く正面音を出力することができ、その正面音が、クッションＫの使用者に確実に聴こえるようになる。
【００２９】
スピーカユニットＳの背面側の端部には、プラスの極性とマイナスの極性を持つ一対の端子Ｓ４、Ｓ４が配置されている（図３（ｂ）参照）。例えば、複数のプラグを用いてケーブルの一端を端子Ｓ４、Ｓ４にそれぞれ接続し、そのケーブルの他端を外部の音源と接続する。これにより、その音源から受信する音の信号をスピーカユニットＳに対して直接的または間接的に伝送し、スピーカユニットＳから音を出力させることができる。
【００３０】
（スピーカユニットカバーＣ）
図２に示すように、スピーカユニットカバーＣ（保護部材）は、バッフル板２の正面側に配置されており、バッフル板２の正面側にあるスピーカユニットＳを保護する。スピーカユニットカバーＣは、略円筒状を呈しており、スピーカユニットＳの正面側を外側から囲んでいる。よって、使用者がクッションＫを使用中に、スピーカユニットＳの振動板Ｓ５（図３参照）の破損を防ぐことができる。スピーカユニットカバーＣの正面側の端部は、スピーカユニットＳから出力される音を遮らない程度に開口している。
【００３１】
なお、略円筒状のスピーカユニットカバーＣには、その周壁部の内部を軸方向に貫通する孔Ｃ１が形成されており、スピーカユニットカバーＣの孔Ｃ１をバッフル板２のネジ穴２２に対向させるとよい。これにより、ネジＳ２がネジ穴Ｓ１１およびネジ穴２２だけでなくスピーカユニットカバーＣの孔Ｃ１も貫通することで、スピーカユニットカバーＣは、スピーカユニットＳの正面側の外側に固定される。
【００３２】
（第二のクッション体３）
図２に示すように、第二のクッション体３は、通気性の高いメッシュである袋３１に、樹脂短管３２（図５参照）を多数充填させたクッション体である。樹脂短管３２は、例えば、外径６ｍｍ、肉厚０．２ｍｍ、長さ８ｍｍの管形状を呈しており、ポリエチレンなどの高分子系の材料でできている。よって、第二のクッション体３は、通気性を有し、人間が接触した時に破損しない程度の剛性と弾力性とを有しており、クッションＫの使用者に良好な手触りや弾力性が与えられる。
【００３３】
第二のクッション体３に使用されている樹脂短管３２の減衰能は比較的小さい。そのため、スピーカユニットＳからの正面音をほとんど吸音することなく正面側へ伝搬する。つまり、通気性と弾力性とに富む樹脂短管３２は、スピーカユニットＳの正面側の音圧を変化させること無く、スピーカユニットＳからの正面音を正面側へ伝搬するため、正面音の抜けを良好にすることができる。使用者がクッションＫを使用することで第二のクッション体３が多少潰れたとしても、樹脂短管３２の弾力性が富んでいるため、樹脂短管３２の通気性は確保されている。よって、使用者によるクッションＫの使用時において、第二のクッション体３は、スピーカユニットＳからの正面音を正面側へ伝搬し、正面音の抜けは良好である。
【００３４】
なお、樹脂短管３２は、例えば、指で摘んだときに比較的容易に潰れる程度に軟質であることが好ましい。軟質にすることで、硬質にするよりも、樹脂短管３２を媒介してクッションＫの使用者に届く音が、柔らかく拡がりがある音となる。
袋３１は、樹脂短管３２が袋３１から飛び出し、スピーカユニットＳの内部に入り込むことを防ぐ。袋３１は、例えば、樹脂製であってもよいし、布製であってもよい。
【００３５】
第二のクッション体３は、バッフル板２の正面側に配置されており、第一のクッション体１に支持されている。スピーカユニットＳから出力される音の音質を考慮すると、第二のクッション体３の厚さは、均一または略均一にすることが好ましい。そのために例えば、水平方向に延びている第二のクッション体３の袋３１の全体に亘って格子状に、布製品の値札付けなどに使われるタグピン（不図示。連結手段）をタグガンで打ち込み、タグピンを配置した箇所において袋３１の正面側の布と背面側の布とを連結するとよい。このようにすることで、均一または略均一に拡がった樹脂短管３２を区分し、使用者がクッションＫをどのように使用しても、第二のクッション体３の厚さが不均一化することを防ぐことができる。
【００３６】
樹脂短管を充填するクッション体に対し、通常は、上下方向にまたは左右方向に布製の仕切りを入れることしかできない。よって、仕切りの入れていない方向においては、クッション体の厚さが頻繁に不均一化してしまう。また、樹脂短管を充填するクッション体に対し、上下方向および左右方向に布製の仕切りを入れると、その仕切りにより仕切られた空間に樹脂短管を充填することができない。
【００３７】
（音響システム）
次に、主に図４を参照して、スピーカユニットＳを用いた音響システムについて説明する。この音響システムは、右ＲチャンネルとなるスピーカユニットＳＲ（Ｓ）と、左ＬチャンネルとなるスピーカユニットＳＬ（Ｓ）と、付属装置Ａ（外部機器）と、音源ＰＬとが、例えばプラグやケーブルを用いて電気的に接続して構成されている。なお、付属装置Ａは、例えばプラグやケーブルを用いてスピーカユニットＳの端子Ｓ４に接続している。
【００３８】
音源ＰＬは、例えばステレオ音源であり、光ディスクを用いたＣＤプレーヤ、磁気テープを用いたカセットテーププレーヤ、ＤＶＤプレーヤなどである。音源ＰＬから出力される音の信号は、付属装置Ａに入力される。
【００３９】
付属装置Ａは、音源ＰＬから出力される音の信号を変換して、スピーカユニットＳから出力される音の音量、音質などを制御する装置である。付属装置Ａは、１または複数の装置から構成することができる。付属装置Ａは、増幅部Ａ１、音量調整部Ａ２、電源Ａ３といった構成部を備えている。
【００４０】
増幅部Ａ１は、音源ＰＬから受信する音の信号を増幅する。音源ＰＬは、増幅部Ａ１に対して、例えばBluetooth（登録商標）等の無線により接続される。増幅部Ａ１は、例えば、メインアンプ、プリアンプとして実装することができる。
音量調整部Ａ２は、スピーカユニットＳから出力される音の音量を調整する。音量調整部Ａ２は、スピーカユニットＳからの出力に関する抵抗値を制御する可変抵抗器として実装することができる。
電源Ａ３は増幅部Ａ１、音量調整部Ａ２等に電力を供給するものである。
【００４１】
≪使用例≫
次に、クッションＫの使用例について説明する。
【００４２】
第一のクッション体１と、第二のクッション体３との間に配置されているバッフル板２およびスピーカユニットＳは、通気性と弾力性とを有する第一のクッション体１および第二のクッション体３からは拘束をほとんど受けていない。また、バッフル板２およびスピーカユニットＳは、第一のクッション体１と、第二のクッション体３と以外からは拘束を受けていない。そして、バッフル板２は、軟質、かつ、薄い材質でできており、スピーカユニットＳのフレームＳ１のフランジ部Ｓ１ａと直接固定している。
【００４３】
よって、スピーカユニットＳのフレームＳ１と同様（特許文献１の００３９参照）、バッフル板２も、ほとんど拘束を受けない状態で、スピーカユニットＳの振動板Ｓ５の振動方向と同じ方向で、進退自在に振動することができる。つまり、スピーカユニットＳの振動板Ｓ５の振動がフレームＳ１を介してバッフル板２に伝達されることで、スピーカユニットＳおよびバッフル板２は、ほとんど拘束を受けない状態でスピーカユニットＳの振動板Ｓ５の振動方向に進退自在に振動することができる。バッフル板２を、拘束を受けることなくスピーカユニットＳと一緒に振動させることにより、比較的小型のスピーカユニットＳを通常のサイズのクッションに内蔵させた場合でも、そのスピーカユニットＳから出力される音が、原音に極めて忠実な音になる。このような音は、濁り音や歪音などといった不正振動等に起因する雑音は含まない音であるため、クッションＫの使用者にとって心地よい音となる。
【００４４】
なお、発明者は、軟質、かつ、薄いバッフル板２およびスピーカユニットＳが、上記のように拘束を受けていない状態にあるときに、スピーカユニットＳから出力される音の音質が所定の音質以上であることを確認した。
【００４５】
なお、特許文献１のスピーカユニットでは、原音に高忠実な再生音を得るために、フレームの前後方向動作を柔軟に規制する吸振部材が用いられている（特許文献１の段落００４０参照）。しかし、この吸振部材によって、スピーカユニットからバッフル板への振動は吸収されてしまうため、バッフル板そのものは、スピーカユニットの振動板の振動方向に進退自在に振動しない。
【００４６】
また、特許文献３のスピーカ付き枕に用いられている長板は、少なくとも枕の使用者の頭部を支えるために、相当大きな剛性を有すると考えられる。それほどまでに大きな剛性を有する長板は、スピーカの振動板の振動方向に進退自在に振動しない。
【００４７】
以上が、第１実施形態のクッションＫに内蔵されたスピーカユニットＳおよびバッフル板２の主要な特徴であるが、その他にも下記の特徴が存在する。
【００４８】
図５に示すクッションＫの未使用時に対し、使用者の手が正面側に接触すると、クッションＫが変形する。しかし、そのような変形があっても、第一のクッション体１と、第二のクッション体３との間に配置されているバッフル板２およびスピーカユニットＳは、それら以外からは拘束を受けていない。よって、クッションＫの未使用時と使用時とでスピーカユニットＳから出力される音の音質は変わらない。なお、クッションＫの使用者の耳に届くスピーカユニットＳから出力される音は、図５において、白抜きの矢印および実線の矢印で描かれている。第二のクッション体３の樹脂短管３２の作用により、第二のクッション体３の正面側全体から柔らかく拡がりがある音が聴こえる。
【００４９】
薄く柔軟な軟質ゴムよりなるバッフル板２は、ゲル板（特許文献２参照）と比べて軽く、かつ安価である。また、スピーカユニットＳも小型であるため軽い。よって、バッフル板２およびスピーカユニットＳを含むクッションＫは、相当軽量化され、クッションＫの使用者にとって使い勝手のよいものとなる。
【００５０】
また、一対のスピーカユニットＳは、１枚のバッフル板２に固定されていることで、スピーカユニットＳそれぞれから出力される音の連帯感が強くなり、音質が良好となる。また、ステレオ音の出力において、バッフル板を２分してそれぞれのバッフル板に１つのスピーカユニットを固定し、その２分したバッフル板を分離してクッションＫの内部に配置した場合には、スピーカユニットそれぞれから出力される音の連帯感が弱くなる傾向にあるものの、音質は良好である。
【００５１】
≪まとめ≫
第１実施形態によれば、スピーカユニットＳおよびバッフル板２は、第一のクッション体１と、第二のクッション体３とからは拘束をほとんど受けていない。また、スピーカユニットＳのフレームＳ１のフランジ部Ｓ１ａが、薄く柔軟な軟質ゴムよりなるバッフル板２に直接固定されている。このため、スピーカユニットＳの振動がフレームＳ１を介してバッフル板２に伝達され、スピーカユニットＳおよびバッフル板２は、ほとんど拘束を受けない状態でスピーカユニットＳの振動板の振動方向に進退自在に振動することができる。バッフル板２を、拘束を受けることなくスピーカユニットＳと一緒に振動させることにより、比較的小型のスピーカユニットＳを通常のサイズのクッションＫに内蔵させた場合でも、そのスピーカユニットＳから出力される音が、原音に極めて忠実な音になる。このような音は、濁り音や歪音などといった不正振動等に起因する雑音は含まない音であるため、クッションＫの使用者にとって心地よい音となる。
【００５２】
また、スピーカユニットＳから出力される正面音は、クッションＫの使用者に確実に聴こえるようにし、スピーカユニットＳから出力される背面音は、正面側に遮蔽される一方、バッフル板２がパッシブ・ラジエターとして機能し、正面側に共鳴音を伝えるようにできる。
また、クッションＫをどのように使用しても、使用者には同じように聴こえる。さらには、クッションＫの使用中に使用者がクッションＫをどのように動かしても、第二のクッション体の厚さが不均一化することを防ぐことができる。
【００５３】
≪その他≫
なお、前記実施形態は、クッションＫを実施するための好適なものであるが、その実施形式はこれに限定されるものではない。したがって、本発明の要旨を逸脱しない範囲内において、実施形式を種々変形することが可能である。
【００５４】
例えば、スピーカユニットＳは、ステレオ音を出力する一対のスピーカユニットとして説明した。しかし、モノラル音を出力する単一のスピーカユニットを使用した場合であっても本発明を適用することができる。これは、第３実施形態において後記する。第二のクッション体３には、軟質の樹脂短管３２を用いているので（硬質でもよい）、単一のスピーカユニットを用いてもそのスピーカユニットから出力される音が拡がり、クッションＫの使用者には、その音が十分聴こえる。
【００５５】
また、バッフル板２は、薄い正方形の形状を呈しているものとして説明した。しかし、例えば、長方形、円形、楕円形、多角形の形状を呈していてもよい。
【００５６】
また、第一のクッション体１は、繊維状の合繊綿や玉綿でできているクッション体として説明した。しかし、第一のクッション体１の材質は、合成樹脂短管、合成樹脂製球状ビーズ（例：コルマ（登録商標）ビーズ）、天然綿、そば殻、グラスウール、羽毛、またはパームマット、といった通気性と弾力性とに富む材質であってもよい。このような材質を用いた第一のクッション体１は、合繊綿や玉綿を用いたときと同様、スピーカユニットＳの背面側の音圧を変化させること無く、スピーカユニットＳからの背面音を背面側へ逃がすため、背面音の抜けを良好にすることができる。また、第一のクッション体１は、必要に応じて、これらの材質を包むための袋を有してもよいし、有していなくてもよい。この袋は、布製でもよいし、樹脂製でもよい。
【００５７】
第一のクッション体１の材質が合成樹脂短管または合成樹脂製球状ビーズであるとき、その合成樹脂短管または合成樹脂製球状ビーズは、指で摘んだときに比較的容易に潰れる程度に軟質であるとよい。これにより、スピーカユニットＳから出力される音を、柔らかく拡がりがある音にすることができる。
【００５８】
また、第二のクッション体３は、メッシュの袋３１に、樹脂短管３２を充填させたクッション体として説明した。しかし、第二のクッション体３の材質は、合繊綿、合成樹脂製球状ビーズ（例：コルマビーズ）、天然綿、そば殻、グラスウール、羽毛、またはパームマット、といった通気性と弾力性とに富む材質であってもよい。このような材質を用いた第二のクッション体３は、樹脂短管３２を用いたときと同様、スピーカユニットＳの正面側の音圧を変化させること無く、スピーカユニットＳからの正面音を正面側へ伝搬するため、正面音の抜けを良好にすることができる。また、第二のクッション体３は、これらの材質を包むための袋を有してもよいし、有していなくてもよい。この袋は、布製でもよいし、樹脂製でもよい。さらに、第二のクッション体３の材質は、第一のクッション体１の材質と同一であってもよいし、異質であってもよい。
【００５９】
第二のクッション体３の材質が合成樹脂短管または合成樹脂製球状ビーズであるとき、その合成樹脂短管または合成樹脂製球状ビーズは、指で摘んだときに比較的容易に潰れる程度に軟質であるとよい。これにより、スピーカユニットＳから出力される音を、柔らかく拡がりがある音にすることができる。さらに、発明者が行った実験結果によれば、軟質合成樹脂短管よりも、軟質合成樹脂製球状穴明きビーズのほうが、音の拡がりが大きかった。
【００６０】
また、連結手段としてのタグピンを用いて、第二のクッション体３を、均一または略均一にした。この連結手段は、他にも、複数のケーブル等を結束する結束ワイヤであってもよい。第二のクッション体３の袋３１の全体に亘って格子状に、多数の結束ワイヤを配置し、その配置した箇所において袋３１の正面側の布と背面側の布とを連結し、その箇所の第二のクッション体３の厚さを、その箇所の周辺部よりも薄くする。これにより、樹脂短管３２の上下左右方向の動きを規制する仕切りが形成され、クッションの使用中に使用者がクッションＫをどのように動かしても、第二のクッション体３の厚さが不均一化することを防ぐことができる。
【００６１】
また、第一のクッション体１の材料となる合繊綿の使用量を増減することで、使用者の使用形態や使用者の手の大きさに合うようにクッションＫを嵩上げしたり、嵩下げしたりすることができる。合繊綿の使用量を変更しても、スピーカユニットＳから出力される背面音を吸音する程度はあまり変わらず、使用者に聴こえる音の音質への影響はほとんど無い。
【００６２】
また、スピーカユニットＳのフレームＳ１のフランジ部Ｓ１ａがバッフル板２に直接固定されると、スピーカユニットＳがバッフル板２の孔２１を塞ぐ構成をとり、スピーカユニットＳからの正面音はクッションＫの使用者に確実に聴こえるようにし、背面音は正面側に遮蔽される一方、バッフル板２がパッシブ・ラジエターとして機能し、正面側に共鳴音を伝えるという効果を奏するようにした。しかし、例えば、特許文献３の図５に示すように、バッフル板の背面側に固定したスピーカユニットと対向する複数の小孔をバッフル板に設けた構成においても、前記効果と同様の効果を奏する。
【００６３】
また、クッションＫに、第一のクッション体１と、バッフル板２と、一対のスピーカユニットＳと、第二のクッション体３とを包むクッションカバー４を用いた。しかし、例えば、クッションカバー４を用いる代わりに、特許文献３の図４に示すように、クッションの周縁を紐でくくるようにしてもよい（特許文献３の段落００３０参照）。
【００６４】
クッションＫは、前記の正面視略正方形のクッションに限らず、正面視略長方形や正面視略円形のクッションであってもよい。
【００６５】
［２．第２実施形態］
次に、図６を参照しながら、第２実施形態のカバンＧを説明する。なお、クッションＫと同じものについては同じ符号を付すものとし、その詳細な説明は省略する。また、図６においては、図示の簡略化ために、一部部材を省略して示している。また、図６に示すカバンＧは、基本的には、前記したクッションＫと同様の構成を有する。そして、カバンＧにおいては、前記したクッションＫと同様の機構によりスピーカユニットＳからの原音に極めて忠実な音が発せられる。従って、以下の説明においては、前記したクッションＫと異なる点を主に説明する。
【００６６】
図６（ａ）に示すカバンＧは、布製の筐体３４と、使用者が手を引っ掛けることにより、カバンＧを持ち運び可能な持ち手３５とを備えている。前記したスピーカユニットＳやバッフル板２等は、筐体３４内に収納されている。前記のように筐体３４は音を通す布（遮蔽しない）により構成され、これにより、カバンＧ内のスピーカユニットＳから発せられる音が使用者に到達するようになっている。
【００６７】
前記したクッションＫにおいては、バッフル板２の各面側に、第一のクッション体１として繊維状の合繊綿や玉綿が設けられ、第二のクッション体３として樹脂短管３２を充填した袋３１が設けられている。一方で、カバンＧにおいては、図６（ｂ）に示すように、バッフル板の各面側に、合繊綿や玉綿からなる第一のクッション体３６と、合繊綿や玉綿からなる第二のクッション体３７とが設けられている。第一のクッション体３６および第二のクッション体３７はいずれも通気性と剛性と弾力性とを有するものである。なお、バッフル板２は、その両端がカバンＧの内壁に密着するように折り曲げられ、折り曲げられた部分において図示しないピン等により、バッフル板２がカバンＧ内に固定されている。
【００６８】
カバンＧの寸法としては、筐体３４の外寸として、左右方向の長さが３３０ｍｍ、上下方向の長さが２４０ｍｍである。また、また、スピーカユニットＳＲ，ＳＬの中心間距離は、１８０ｍｍである。バッフル板２は、シリコンゴムからなり、上下方向の長さは２４０ｍｍ、左右方向の長さは３８０ｍｍである。
【００６９】
カバンＧは、あたかもスピーカユニットＳが存在しないのに、カバンＧから音が発せられる外観になっている。そして、付属装置Ａ（図４参照）、ＭＰ３プレーヤー等の音楽再生装置（図示しない）やBluetooth（登録商標）受信機等を内蔵させることにより、カバンＧは携帯用としても使用可能である。そのため、カバンＧによれば、例えば移動中であっても、気軽に音楽等を聴くことができる。また、室内にカバンＧを配置した場合に、スピーカユニットＳの存在が目視されないため、インテリア性が良好である。また、カバンＧの内部には、第一のクッション体３６および第二のクッション体３７が設けられているため、カバンＧの外部から力が付加されても、変形により外力が緩和され、スピーカユニットＳが破損することがない。
【００７０】
なお、図示のカバンＧ内部には、第一のクッション体３６と第二のクッション体３７とが設けられているが、これらは適宜省略してもよい。
【００７１】
［３．第３実施形態］
次に、図７および図８を参照しながら、第３実施形態のボックスＢを説明する。なお、クッションＫと同じものについては同じ符号を付すものとし、その詳細な説明は省略する。また、図７および図８においては、図示の簡略化ために、一部部材を省略して示している。また、図７および図８に示すボックスＢは、基本的には、前記したクッションＫと同様の構成を有する。そして、ボックスＢにおいては、前記したクッションＫと同様の機構によりスピーカユニットＳからの原音に極めて忠実な音が発せられる。従って、以下の説明においては、前記したクッションＫおよびカバンＧと異なる点を主に説明する。
【００７２】
ボックスＢの構成を図７に示す。図７（ｂ）は図７（ａ）のＦ−Ｆ線断面図である。図７（ｂ）に示すように、ボックスＢは、筐体３８と、バッフル板２の各面側に第一の支持体４０および第二の支持体４１と、第一の支持体４０を外部から覆うシート４２と、第二の支持体４１を外部から覆うシート３９とを備えている。
【００７３】
第一の支持体４０および第二の支持体４１はいずれも通気性と剛性と弾力性とを有するものである。第一の支持体４０および第二の支持体４１は、サランロック（登録商標）により構成される。第一の支持体４０および第二の支持体４１は、いずれも、スピーカユニットＳが嵌るように予め成形されている。このように、ボックスＢにおいて、第一の支持体４０および第二の支持体４１は、スピーカユニットＳの外形状に沿って嵌合可能な凹部が設けられ、通気性と弾力性とに富み、かつ、スピーカユニットを支持可能な程度の剛性を有する支持体になっている。
【００７４】
第一の支持体４０および第二の支持体４１はいずれも、バッフル板２を挟むようにして、筐体３８の内壁面に設けられている溝に嵌められて固定される。また、バッフル板２は、前記のクッションＫと同様とすることができるが、ウレタンゴムも適用可能である。
【００７５】
シート４２は、漆塗りの麻製メッシュシートである。シート４２は、ボックスＢの使用時、正面側に配置される。シート４２が第一の支持体４０を覆って設けられることにより、第一の支持体４０が筐体３８から外れることをより確実に防止することができる。また、シート３９は、ネトロン（登録商標）からなるシートである。ネトロンはポリプロピレンからなるシートである。シート３９は、ボックスＢの使用時、背面側に配置される。シート３９が第二の支持体４１を覆って設けられることにより、第二の支持体４１が筐体３８から外れることをより確実に防止することができる。
【００７６】
また、バッフル板２は、図７（ｂ）に示すように、糸４３によって、第二の支持体４１に結わえられている。これにより、バッフル板２は拘束されず、自由に移動可能になる。なお、図示はしていないが、バッフル板２と第二の支持体４１とは、上端部、下端部、左端部、右端部それぞれを数点（２〜３点）ずつ結わえられている。
【００７７】
前記したクッションＫにおいては、クッションＫ内に２つのスピーカユニットＳが設けられていたが、ボックスＢ内においては１つのスピーカユニットＳのみが設けられている。従って、スピーカユニットＳの設置体積が小さくなり、設置上の制約が小さくなる。ただし、２つのボックスＢを同一のバッフル板２で接続して左右に配置することにより、音の臨場感を増大させることもできる。具体的な使用例を、図８に示す。
【００７８】
図８は、ボックスＢを２つ組み合わせたスピーカシステムの全体構成を示す図である。それぞれのボックスＢ（ＢＬ，ＢＲ）の内部には、それぞれ単独のスピーカユニットＳ（ＳＬ，ＳＲ）が設けられている。そして、スピーカユニットＳ（ＳＬ，ＳＲ）は、同一のバッフル板２に固定されている。即ち、ボックスＢＬ，ＢＲは、同一のバッフル板２により接続されている。
【００７９】
図示のように、ボックスＢＬ，ＢＲの間にいる使用者は、ボックスＢＬ内のスピーカユニットＳＬからの音と、ボックスＢＲ内のスピーカユニットＳＲからの音との両方を聴取可能になっている。これにより、音源ＰＬ（図４参照）からの音をステレオによって聴くことができる。また、同一のバッフル板２に２つのスピーカユニットＳＬ，ＳＲを固定することにより、左右のスピーカユニットＳＬ，ＳＲからの音の連帯感が増して、臨場感が増大する。
【００８０】
なお、図示のボックスＢ内部には、第一の支持体４０と第二の支持体４１とが設けられているが、これらは適宜省略してもよい。即ち、スピーカユニットＳの外形状に沿って嵌合可能な凹部が設けられ、通気性と弾力性とに富み、かつ、スピーカユニットＳを支持可能な程度の剛性を有し、スピーカユニットＳのフレームが固定されたバッフル板２を支持する支持体は１つのみであってもよく、２つ以上設けられてもよい。
【００８１】
［４．変形例］
以上、本実施形態を３つの具体例を挙げて説明したが、本実施形態は前記の内容に何ら限定されるものではなく、本発明の要旨を逸脱しない範囲内で任意に変更して実施可能である。即ち、例えば、各実施形態で説明した技術的な事項を適宜組み合わせた技術を実現することもできる。その他、本発明に必要となる各種部材の形状（スピーカユニットの種類や形状など）、材質、配置、寸法（各部材の大きさや厚さなど）など具体的な構成について、本発明の要旨を逸脱しない範囲で任意に変更可能である。
【符号の説明】
【００８２】
ＢＲ，ＢＬ（Ｂ）    ボックス
Ｇ                  カバン
Ｋ                  クッション
ＳＲ，ＳＬ（Ｓ）    スピーカユニット
１，３６            第一のクッション体
２                  バッフル板
３，３７            第二のクッション体
４０                第一の支持体（支持体）
４１                第二の支持体（支持体）
【図１】
2014027427.tif 000003
【図２】
2014027427.tif 000004
【図３】
2014027427.tif 000005
【図４】
2014027427.tif 000006
【図５】
2014027427.tif 000007
【図６】
2014027427.tif 000008
【図７】
2014027427.tif 000009
【図８】
2014027427.tif 000010
【手続補正書】
【提出日】平成24年12月17日(2012.12.17)
【手続補正１】
【補正対象書類名】特許請求の範囲
【補正対象項目名】全文
【補正方法】変更
【補正の内容】
【特許請求の範囲】
【請求項１】
スピーカユニットを内蔵するスピーカユニット内蔵品において、
薄く柔軟な軟質ゴムよりなるバッフル板を備えており、
前記スピーカユニットの正面側が前記バッフル板の正面側に向くように、前記スピーカユニットのフレームが前記バッフル板に直接固定されており、
前記バッフル板および前記スピーカユニットはともに、前記スピーカユニットの振動板の振動方向に進退自在な状態に保持され、かつ、前記バッフル板は、実質的に拘束されていない状態で、前記スピーカユニット内蔵品の内部に保持される
ことを特徴とするスピーカユニット内蔵品。
【請求項２】
請求項１に記載のスピーカユニット内蔵品がスピーカユニット内蔵クッションであって、
通気性を有し、剛性と弾力性とを有する第一のクッション体と、
通気性を有し、剛性と弾力性とを有する第二のクッション体と、を備えており、
前記スピーカユニットと、前記バッフル板とは、前記第一のクッション体と、前記第二のクッション体との間に配置される
ことを特徴とするスピーカユニット内蔵クッション。
【請求項３】
請求項１に記載のスピーカユニット内蔵品がスピーカユニット内蔵カバンであって、
通気性を有し、剛性と弾力性とを有する第一のクッション体と、
通気性を有し、剛性と弾力性とを有する第二のクッション体と、を備えており、
前記スピーカユニットと、前記バッフル板とは、前記第一のクッション体と、前記第二のクッション体との間に配置される
ことを特徴とするスピーカユニット内蔵カバン。
【請求項４】
請求項１に記載のスピーカユニット内蔵品がスピーカユニット内蔵ボックスであって、
前記スピーカユニットの外形状に沿って嵌合可能な凹部が設けられ、通気性と弾力性とに富み、かつ、前記スピーカユニットを支持可能な程度の剛性を有する支持体を備え、
前記スピーカユニットのフレームが固定された前記バッフル板は、前記支持体に支持される
ことを特徴とするスピーカユニット内蔵ボックス。
【手続補正２】
【補正対象書類名】明細書
【補正対象項目名】０００９
【補正方法】変更
【補正の内容】
【０００９】
前記目的を達成するため、本発明は、スピーカユニットを内蔵するスピーカユニット内蔵品において、薄く柔軟な軟質ゴムよりなるバッフル板を備えており、前記スピーカユニットの正面側が前記バッフル板の正面側に向くように、前記スピーカユニットのフレームが前記バッフル板に直接固定されており、前記バッフル板および前記スピーカユニットはともに、前記スピーカユニットの振動板の振動方向に進退自在な状態に保持され、かつ、前記バッフル板は、実質的に拘束されていない状態で、前記スピーカユニット内蔵品の内部に保持されることを特徴とする。